(57)【要約】      （修正有）【課題】地下構造物の構築に際し、棚杭を用いた切梁の架設構造よりも、施工工期の短縮及び作業性の向上に寄与する切梁の架設構造を提供する。【解決手段】山留に用いる水平切梁工法における、切梁の架設構造であって、平面投影視して前記切梁と略同一線上に位置するように、地盤に架設固定した桁材、及び桁材と切梁とを連結した縦継ぎ材、を少なくとも備え、切梁が受ける土圧を、縦継ぎ材を介して桁材に伝達するよう構成する。【選択図】図１
0003162293.tif 000002
【実用新案登録請求の範囲】
【請求項１】
山留に用いる水平切梁工法における、切梁の架設構造であって、
平面投影視して前記切梁と略同一線上に位置するように、地盤に架設固定した桁材、及び該桁材と切梁とを連結した縦継ぎ材、を少なくとも備え、
前記切梁が受ける土圧を、前記縦継ぎ材を介して前記桁材に伝達することを特徴とする、
切梁の架設構造。
【請求項２】
平面投影視して略同一線上に位置するように、前記切梁を高低差を設けて複数架設してあり、前記複数の切梁間を前記縦継ぎ材で更に連結してあることを特徴とする、請求項１に記載の切梁の架設構造。
【考案の詳細な説明】
【技術分野】
【０００１】
本考案は、山留に用いる水平切梁工法における、切梁の架設構造に関するものである。
【背景技術】
【０００２】
山留工法において、開削部分の周囲に設けた土留壁間に切梁を架設した、水平切梁工法が知られている。
前記工法では、開削地盤に打設した棚杭でもって切梁間を連結することにより、前記切梁の座屈を防ぐことが一般的である。
【考案の概要】
【考案が解決しようとする課題】
【０００３】
しかし、前記する従来の方法では、以下の問題のうち少なくとも一部の問題があった。
（１）棚杭の打設工程にある程度の工期を要する。
（２）打設後の棚杭が掘削作業の障害となるため、掘削効率が低下する。
（３）開削部分に躯体を構築する際に、躯体より下方の棚杭をそのまま埋め殺ししなければならず、施工効率が悪い。
（４）切梁を残しながら躯体を構築する際、棚杭も残しながら作業する必要があり、棚杭部分の箱抜きを行いながら躯体を構築しなければならない。従って、躯体の構築後に、棚杭の除去や該棚杭の除去部分を穴埋めする等の作業が必要となり、工期の増加及び躯体の品質低下につながる。
（５）架設高さの異なる複数の切梁を棚杭単体で支持する場合、平面的に棚杭が切梁から突出するように位置することから、開削部分を平面視した場合の作業空間がより制限される。
【０００４】
従って、本考案は、地下構造物の構築に際し、従来の棚杭を用いた切梁の架設構造よりも、施工工期の短縮及び作業性の向上に寄与する切梁の架設構造を提供することを目的の一つとするものである。
【課題を解決するための手段】
【０００５】
上記課題を解決すべくなされた本願の第１考案は、山留に用いる水平切梁工法における、切梁の架設構造であって、平面投影視して前記切梁と略同一線上に位置するように、地盤に架設固定した桁材、及び該桁材と切梁とを連結した縦継ぎ材、を少なくとも備え、前記切梁が受ける土圧を、前記縦継ぎ材を介して前記桁材に伝達することを特徴とする、切梁の架設構造を提供するものである。
【０００６】
また、本願の第２考案は、前記第１考案において、平面投影視して略同一線上に位置するように、前記切梁を高低差を設けて複数架設してあり、前記複数の切梁間を前記縦継ぎ材で更に連結してあることを特徴とする、切梁の架設構造を提供するものである。
【考案の効果】
【０００７】
本考案の切梁の架設構造によれば、以下の効果のうち、少なくとも一つを得ることができる。
（１）棚杭の打設工程が不要となり、工期の短縮に寄与する。
（２）棚杭が不要となるため、掘削機の障害が無くなり掘削効率が向上する。
（３）棚杭部分の躯体処理が不要となるため、工期の短縮、及び躯体の品質確保に寄与する。
（４）桁材及び縦継ぎ材が、平面投影視した時に切梁と略同一線上に位置するため、開削部分を平面視した場合の作業空間をより大きく確保することができ、機材の搬入等において自由度が高まり、作業性の向上に寄与する。
【図面の簡単な説明】
【０００８】
【図１】本考案の切梁の架設構造の実施例を示す概略断面図。
【図２】図１における切梁と縦継ぎ材との連結部周辺を示す概略斜視図。
【図３】図１における概略平面図。
【図４】本考案の切梁の架設構造の構築例を示す図。
【考案を実施するための形態】
【０００９】
以下、図面を参照しながら本考案の実施の形態について説明する。
【実施例】
【００１０】
＜１＞全体構成
図１は、本考案の切梁の架設構造の実施例を示す概略断面図である。
図１に示すように本考案の切梁の架設構造は、土留壁Ａ間に架設する少なくとも一つ以上の切梁１と、地盤Ｂに架設固定する桁材２と、前記切梁１と桁材２、又は複数の切梁１間、を連結する縦継ぎ材３と、からなる。
土留壁Ａは、地盤Ｂに連続打設した鋼矢板や、ＳＭＷ壁などの周知の土留壁からなる。
【００１１】
＜２＞切梁
切梁１は、地盤Ｂから土留壁Ａを介して伝達される土圧に抵抗する為の部材である。
切梁１は、Ｈ鋼、山形鋼、溝形鋼などの周知の剛性部材を用いることができ、本実施例においてはＨ鋼を用いている。
切梁１と土留壁Ａとの間には、別途腹起（図示せず）を介してもよい。
【００１２】
＜３＞桁材
桁材２は、前記切梁１から後述する縦継ぎ材３を介して伝達される土圧に抵抗する為の部材である。
桁材２は、土留壁間を少なくとも越えるように地盤上面に架設され、その両端近傍が前記地盤Ｂに固定される。
桁材２は、Ｈ鋼、山形鋼、溝形鋼などの周知の剛性部材を用いることができ、本実施例においてはＨ鋼を用いている。
【００１３】
＜４＞縦継ぎ材
縦継ぎ材３は、前記切梁１が受ける土圧を最終的に前記桁材２へと伝達する為の部材である。
縦継ぎ材３は、前記桁材２と開削部分の最上部に架設される切梁１との間や、上下方向に隣接する複数の切梁間を互いに連結する。
縦継ぎ材３は、Ｈ鋼、山形鋼、溝形鋼などの周知の剛性部材を用いることができ、本実施例においては溝形鋼を用いている。
【００１４】
＜５＞その他の部材
図２は、図１における切梁と縦継ぎ材との連結部周辺を示す概略斜視図である。
前記縦継ぎ材３と、前記桁材２又は切梁１とを連結する際には、別途連結具４を介して連結してもよい。
連結具４は、凸部４１と底部４２を有するＴ型形状の部材を用いることができる。
前記凸部４１は、縦継ぎ材３を構成する溝形鋼と、ボルト留めや溶接などの周知の連結方法によって連結される。
前記底部４２は、切梁１を構成するＨ鋼のフランジ部と、ボルト留めや溶接などの周知の連結方法によって連結される。
【００１５】
＜６＞各部材の配置形態
図３を参照しながら、各構成部材の配置形態について説明する。
図３（ａ）は、図１における切梁の架設構造の実施例を示す概略平面図であり、図３（ｂ）は、従来の棚杭を用いた切梁の架設構造を示す概略平面図である。
【００１６】
図３（ｂ）に示す従来の架設構造では、平面視して切梁ａから棚杭ｂが突出するように配置されるため、地上から開削部分への機材の搬入その他の作業に干渉する領域が増加することとなり、作業の効率性に悪影響を与え得る。
一方、図３（ａ）に示す本考案の架設構造によれば、互いに連結される桁材２と、複数の切梁１並びに縦継ぎ材３とが、それぞれ前記切梁１と略同一線上に位置するように配置されるため、切梁１から平面視的に突出する部材が無く、地上から開削部分への機材の搬入その他の作業に干渉する領域を極力低減させることができる。
【００１７】
また、本考案の架設構造によれば、土留壁Ａ（地盤Ｂ）からの土圧が、切梁１及び縦継ぎ材３を解して、地盤Ｂに固定された桁材２まで伝達されるため、従来の架設構造と比較して土圧抵抗力が向上するほか、切梁１のサイズダウン等の効果をも得ることができる。
【００１８】
＜７＞使用例
図４は、本考案の切梁の架設構造の構築例を示す図である。
図４を参照しながら、本考案の切梁の架設構造を用いた、地下構造物の構築手順について説明する。
【００１９】
（１）地盤の開削（図４（ａ））
まず、予定される開削部分Ｃの周囲を覆うように、土留壁（図示せず）を構築した後、開削部分Ｃの掘削を開始する。
【００２０】
（２）桁材及び切梁の設置（図４（ｂ））
ある程度地盤を開削した後、桁材２を地盤上に固定し、該桁材に縦継ぎ材３を連結する。また、土留壁間に切梁１ａを架設し、該切梁１ａと前記縦継ぎ材３とを連結する。
なお、前記桁材２、切梁１ａ及び縦継ぎ材３ａの設置順は適宜変更することができる。
【００２１】
（３）切梁及び縦継ぎ材の設置（図４（ｃ））
地盤の開削を行いながら、適宜切梁１ｂ及び縦継ぎ材３ｂを設置していく。
【００２２】
（４）開削の完了（図４（ｄ））
所定の深さまで開削を完了させる。このとき、桁材２に対し、少なくとも一つ以上の切梁１（１ａ、１ｂ）と縦継ぎ材３が連結されており、構造物全体として、土圧が桁材２に伝達可能に構成されている。
【００２３】
（５）躯体の構築（図４（ｅ））
開削された領域に躯体Ｄを構築する。躯体Ｄは、現場でコンクリート打設により構築されるボックスカルバートなどの周知の構造体を用いることができる。このとき、躯体Ｄの構築領域に位置する切梁１ｂ及び縦継ぎ材３ｂは、躯体Ｄの構築状況に応じて適宜下方から順に撤去すればよく、従来工法のように、盛替梁の構築や、棚杭部分を箱抜きして躯体を構築する必要は無い。
【００２４】
（６）作業の完了（図４（ｆ））
躯体の構築完了後は、全ての縦継ぎ材３（３ａ，３ｂ）及び切梁１（１ａ，１ｂ）、並びに桁材２が除去されることなる。
【００２５】
＜８＞工期の比較
従来の棚杭を用いた切梁の架設構造と、本考案に係る切梁の架設構造とを比較すると、切梁と縦継ぎ材との連結作業によって工期の増加がみられるものの、棚杭の打設工程、躯体の後処理工程が不要である点において工期の大幅な短縮が期待できるため、全体として工期の短縮が可能となる。
【符号の説明】
【００２６】
１    切梁
２    桁材
３    縦継ぎ材
４    連結具
Ａ    土留壁
Ｂ    地盤
Ｃ    開削部分
Ｄ    躯体
ａ    切梁
ｂ    棚杭
【図１】
0003162293.tif 000003
【図２】
0003162293.tif 000004
【図３】
0003162293.tif 000005
【図４】
0003162293.tif 000006